(57)【要約】本発明は、付加的な機能を提供するテレビジョンセットに関する。この目的のため、該テレビジョンセットは、スクリーンセーバーを有する。【特許請求の範囲】
【請求項１】
スクリーンセーバーを有するテレビジョンセット。
【請求項２】
前記スクリーンセーバーが、テレビジョンセットの少なくとも１つのディジタルメモリエレメントに記憶されるようにディジタル形式で備えられていることを特徴とする、請求項１に記載のテレビジョンセット。
【請求項３】
前記スクリーンセーバーが、静止画像、動画、又は変化する画像を表示することを特徴とする、請求項１に記載のテレビジョンセット。
【請求項４】
前記スクリーンセーバーが、音声、音響効果、又は音楽を更に再生することを特徴とする、請求項２又は３に記載のテレビジョンセット。
【請求項５】
前記スクリーンセーバーの画像及びフィルムを、前記テレビジョンセットのメモリに、少なくとも１つのデータキャリア又は少なくとも１つのデータリンクを介して、転送する対応が行われていることを特徴とする、請求項１に記載のテレビジョンセット。
【請求項６】
存在する人物に依存して、前記スクリーンセーバーの画像及びフィルムのディスプレイを制御する目的で、センサが備えられていることを特徴とする、請求項１に記載のテレビジョンセット。
【請求項７】
スクリーンセーバーとして、前記テレビジョンセットのディスプレイ画面に周囲環境のミラーイメージを作成するように、演算ユニットと共に少なくとも１つのカメラが備えられていることを特徴とする、請求項１に記載のテレビジョンセット。
【請求項８】
入力端末を利用して、フィルム、画像、又は芸術作品をスクリーンセーバーとして注文することができることを特徴とする、請求項１に記載のテレビジョンセット。
【請求項９】
前記スクリーンセーバーは、テレビジョンチャンネルを介して、現行のテレビジョンプログラムに並行して伝送されることを特徴とする、請求項１に記載のテレビジョンセット。
【請求項１０】
前記スクリーンセーバーは、建物の周囲環境を示す、少なくとも１つのビデオカメラからの画像を表示することを特徴とする、請求項１に記載のテレビジョンセット。
【請求項１１】
フラットディスプレイ画面を有し、壁に取り付けられることを特徴とする、請求項１に記載のテレビジョンセット。
【発明の詳細な説明】
【０００１】
【発明の属する技術分野】
本発明は、付加的な機能を提供するテレビジョンセットに関する。
【０００２】
【従来の技術】
テレビジョンセットのディスプレイ画面の対角線サイズが大きくなるにつれて、これらテレビジョンセットは、家の中でますます多くのスペースをふさぐようになる。もちろん、これらテレビジョンセットは、電源を切った状態においてもこうしたスペースをふさぐ。より薄い奥行きであるとともに、フラットプラズマ又はＬＣＤディスプレイ画面をもつフラットテレビジョンセット（フラットＴＶ）の開発により、これらフラットＴＶがほんの僅かな体積しかとらず、壁に取り付けられることができるという点において、こうしたスペースの問題は減らされる。しかしながら、これらフラットＴＶでもなお壁の広い領域をふさいでしまい、かかる領域は、そうでなければ絵画又は同様の装飾品用に利用可能であっただろう。更に、電源を切った状態での上記の様なフラットテレビジョンセットの大きなグレー色の表面は、居間の雰囲気と調和しない。
【０００３】
【発明が解決しようとする課題】
本発明の目的は、とりわけフラットテレビジョンセットの場合において、大型テレビジョンセットの前記欠点を緩和することである。
【０００４】
【課題を解決するための手段】
本発明によると、この目的は、テレビジョンセットがスクリーンセーバーを備えるという点において実現される。
【０００５】
テレビジョンセットの画面サイズが大きくなるにつれて、これらテレビジョンセットは、見る人にとって不快感がどんどん増加するもととなる。これは、とりわけ壁に取り付けられた大型プラズマモニタの場合にあてはまり、かかるモニタはその大型の分だけ広い領域をふさぐからである。見る人にこの視野を有効利用してもらうために、本発明によるテレビジョンセットは、不規則な画像及びフィルム（映画）を表示し、テレビジョンプログラム又はビデオフィルムの再生に用いられていないときでも該テレビジョンセットを魅力的にするスクリーンセーバーを有する。
【０００６】
請求項２に規定される実施例は、このようなスクリーンセーバーが記憶されることを可能にする。この目的のため、これらテレビジョンセットは、見る人が現在放映中のテレビジョンプログラム又はビデオの再生にテレビジョンセットを用いていないときに見る人が楽しめるスクリーンセーバーが記憶されうるメモリを備える。
【０００７】
請求項３に規定される実施例は、テレビジョンセットのスクリーンセーバーの応用の可能性を提供する。本事例においてスクリーンセーバーは、コンピュータ用のスクリーンセーバーとは異なり、家のインテリア装飾品としての役割を担うので、適切なコンテンツを有していなければならない。静止画像として、ディジタル化された個人的な写真、又はユーザを楽しませるディジタル化された芸術作品を表示することが可能であろう。これは、見る人がリラックスすることを望み、静止画像を静かな背景として好む場合に特に実用的である。静止画像の代わりに、動画を表示することも可能である。これは、メモリに記憶された短編映画であってよく、かかるフィルム（映画）は、休日のビデオなどのホームモードビデオであってもよい。但し、その代わりに、任意の時間間隔で変化されるピクチャ又は写真のシーケンスを表示することも可能であり、かかる時間間隔は、該テレビジョンセットのユーザにより別個にプログラムされ、又は各々のピクチャ又は写真について異なるようにプログラムされることができる。
【０００８】
請求項４に規定される実施例によると、静止又は動画に加えて、音声又は音楽を再生することも可能である。これにより、斯様なテレビジョンセットがよりいっそう魅力的になる。従って、例えば、パーティーの際、自家製又は既製の光及び音楽のショーの利用を実現することが簡易になる。
【０００９】
請求項５に規定される実施例は、テレビジョンセットのメモリにスクリーンセーバーを転送することに関する。この転送は、一方では、インターネットなどのデータリンクにテレビジョンセットの接続箇所を介して、また他方では、スクリーンセーバーが、フロッピー（Ｒ）ディスク、ＣＤ／ＤＶＤ、交換可能なメモリエレメント、又は同様の交換可能な記憶媒体に記憶されうることで成し遂げられることができる。この目的のために、このテレビジョンセットは、適切なデッキ又は適切なスロットを有する。
【００１０】
請求項６に規定される実施例は、更に活気を添えるもの、従って本発明によるスクリーンセーバーの魅力を深めるものを提供する。赤外線センサを利用して、テレビジョンセットに近づく人物の体温が検知されることができる。検知された温度が上昇又は下降する場合、この情報は、現行のスクリーンセーバーのコースに影響する、又は別のスクリーンセーバーを起動するために使用されることができる。異なる人物のプロファイルを検知することが可能なセンサを利用して、関連の人物が部屋に入るとすぐに、各々の人物のための個別のスクリーンセーバーを再生することが従って可能になる。
【００１１】
請求項７に規定される実施例は、テレビジョンセットのディスプレイ画面をミラーに変える。この目的のために、このテレビジョンセットは、該テレビジョンセットの周囲環境をカバーするビデオカメラを有するべきである。テレビジョンセットの演算ユニットが、受像された画像から周囲環境のミラー反転される画像を算出し、これをディスプレイ画面に表示する。
【００１２】
請求項８に規定される実施例は、ユーザの望みに合わせたスクリーンセーバーをもつこと、又は仮想カタログからスクリーンセーバーを選択及び注文することをユーザにとって可能にする。ユーザは、例えば、キーボード又はタッチセンシティブなディスプレイ画面などの入力端末を介して仮想カタログから所望のスクリーンセーバーを選択及び注文することができる。この仮想カタログは、好ましくはインターネット上にある方がよく、なぜならこれによって対話型の（インタラクティブな）通信が何の問題もなく実現されることを可能にするからである。
【００１３】
請求項９に規定される実施例は、とりわけ既製のスクリーンセーバーの伝送に適している。ビデオテキストの伝送に類似するやり方で、テレビジョンプログラムの伝送において自在な伝送容量の利用が行われる。従って、プログラムの提供者は、自身のテレビジョンプログラムを介して、スクリーンセーバーを売る及び伝送することができる。
【００１４】
請求項１０に規定される実施例によると、テレビジョンセットのディスプレイ画面に窓からの眺望をシミュレートすることが可能である。従って、ビデオカメラが建物の外側に設置され、窓を通して自分の庭を眺めている印象を見る人に与えるように、カメラの眺望がディスプレイ画面に示される。このようなアウトドアカメラからのピクチャの代わりに、インターネット接続などのデータリンクを介していわゆるウェブカメラからのピクチャを伝送することももちろん可能である。ウェブカメラは、地球上のあらゆる場所に位置されるビデオカメラであり、その画像は、どのインターネット接続を介しても取り出されることができる。従って、比喩的に説明すると、見る人は世界全体を自分の居間に持ち込むことができるのである。
【００１５】
本発明の利点は、とりわけ請求項１１に規定される実施例から特に明らかである。なぜなら、大型の壁取り付け型フラットディスプレイ画面は、窓の眺め及び絵画又は写真のシミュレーション又はディスプレイについてとりわけ適しているからである。
【００１６】
以下、本発明について以下の例を参照してより詳細に説明されるであろう。
【００１７】
【発明の実施の形態】
そのディスプレイ画面としてプラズマディスプレイをもつ大型画面テレビジョンセットは、主としてディジタル信号処理を用いる。個別の画素は、現時点ではまだアナログ形式で受信されることが多い、ディジタル形式で駆動されるテレビジョンプログラムなので、最初にディジタル化され、その後にディスプレイ画面に再生される。従って、このようなテレビジョンセットに他のディジタル信号ソースを再生することはたやすく可能になる。この目的のため、テレビジョンセットは、スクリーンセーバーが記憶されうるディジタルメモリを有する。更に、該テレビジョンセットは、スクリーンセーバーを担持する記憶媒体を受けとり及び再生するＣＤ／ＤＶＤデッキを有する。このＣＤ／ＤＶＤは、既製の購入された画像、写真、作品若しくは芸術、又は短編フィルムを担持していてもよい。但し、このようなＣＤ／ＤＶＤは、その代わりに、ユーザによって作成された作品を担持することもできる。
【００１８】
テレビジョンセットが、テレビジョンプログラム又はビデオフィルムの再生に用いられていないとき、該セットは、動作の他のモードに切り換えられ、ユーザにより選択されたスクリーンセーバーを表示し始める。従って、ユーザは、例えば、夕食の席の背景として前回のバケーションのディジタル化されたピクチャなどを再生して楽しむことができる。インターネット接続を利用することによって、任意の画像をスクリーンセーバーに読み込む（ロードする）ことがいつでも可能になり、それによって全世界中のウェブカメラからの画像を表示させることも可能になる。従って、このテレビジョンセットは、例えば、太平洋に沈む夕日を表示することができ、これによりまるで見る人が太平洋に直接面する窓から外を眺めているような感じを彼に与える。インターネットを介する代わりに、このような画像は、現在放映中のテレビジョンプログラムに並行するビデオテキストに類似するやり方で、テレビ放送局により伝送されることも可能である。上記の様なスクリーンセーバーを表示するメモリ、接続部、及び電子回路が、ビデオプロジェクタ又は透過投影（リアプロジェクション）テレビジョンセットに更に組み込まれうることは、これらが特に大型の画像を表示するのに適しているので、明らかである。
【国際公開パンフレット】
2004507937.tif 000002
2004507937.tif 000003
2004507937.tif 000004
2004507937.tif 000005
2004507937.tif 000006
2004507937.tif 000007
2004507937.tif 000008
【国際調査報告】
2004507937.tif 000009
2004507937.tif 000010
2004507937.tif 000011